(57)【要約】【課題】非接触型ＩＣカードの読み取り処理を行う非接触型ＩＣ読み取り部と、隣接構造体とを備える電子機器において、非接触型ＩＣ読み取り部のアンテナによる磁界の形状が隣接構造体の影響により歪むことを是正できる電子機器を提供する。【解決手段】筐体と一体的に構成され、非接触型ＩＣカードの読み取り処理を行う非接触型ＩＣ読み取り部５と、非接触型ＩＣ読み取り部５に隣接し且つ金属部分を含む隣接構造体３１と、を備える電子機器である。非接触型ＩＣ読み取り部５は、磁力線を発生させるアンテナ５１と、アンテナ５１を実装するアンテナ基板５２と、アンテナ基板５２における磁力線を遮蔽する側に配置される磁気シールド部材５３と、を有する。隣接構造体３１とアンテナ基板５２とは、隣接方向Ｄ５に沿って隣接しており、隣接方向Ｄ５において、磁気シールド部材５３は、アンテナ５１に対して隣接構造体３１の側に偏在して配置される。【選択図】図１１
2017228090.tif 000002
【特許請求の範囲】
【請求項１】
筐体と、前記筐体と一体的に構成され、非接触型ＩＣカードの読み取り処理を行う非接触型ＩＣ読み取り部と、前記非接触型ＩＣ読み取り部に隣接し且つ金属部分を含む隣接構造体と、を備える電子機器であって、
前記非接触型ＩＣ読み取り部は、磁力線を発生させるアンテナと、このアンテナを実装するアンテナ基板と、このアンテナ基板における磁力線を遮蔽する側に配置される磁気シールド部材と、を有し、
前記隣接構造体と前記アンテナ基板とは、所定の隣接方向に沿って隣接しており、
前記隣接方向において、前記磁気シールド部材は、前記アンテナに対して前記隣接構造体の側に偏在して配置される、電子機器。
【請求項２】
前記筐体と一体的に構成される表示部を更に備え、
前記隣接構造体は、前記表示部の表示機能を達成するための表示部構造体である、請求項１に記載の電子機器。
【請求項３】
前記アンテナは、ループアンテナからなり、
前記隣接方向において、前記磁気シールド部材における前記隣接構造体の側の外端縁の位置は、ループアンテナからなる前記アンテナの断面における前記隣接構造体の側の外端縁の位置よりも、前記隣接構造体の側に位置しており、また、前記磁気シールド部材における前記隣接構造体とは反対側の外端縁の位置は、ループアンテナからなる前記アンテナの断面における前記隣接構造体とは反対側の外端縁の位置よりも、前記隣接構造体の側に位置している、請求項１又は２に記載の電子機器。
【請求項４】
前記隣接方向において、前記磁気シールド部材における前記隣接構造体とは反対側の外端縁の位置は、ループアンテナからなる前記アンテナの断面における前記隣接構造体とは反対側の内端縁の位置よりも、前記隣接構造体の側に位置している、請求項３に記載の電子機器。
【請求項５】
前記筐体と一体的に構成され、接触型ＩＣカードの読み取り処理を行う接触型ＩＣ読み取り部を、更に備え、
前記接触型ＩＣ読み取り部と前記非接触型ＩＣ読み取り部とは、前記筐体の前面視において少なくとも部分的に重なり合う、請求項１〜４のいずれかに記載の電子機器。
【発明の詳細な説明】
【技術分野】
【０００１】
本発明は、筐体と、筐体と一体的に構成され、非接触型ＩＣカードの読み取り処理を行う非接触型ＩＣ読み取り部と、を備える電子機器に関する。
【背景技術】
【０００２】
筐体と一体的に構成され、非接触型ＩＣカードの読み取り処理を行う非接触型ＩＣ読み取り部を備える携帯電子機器が知られている（例えば、特許文献１参照）。このような携帯電子機器は、コンパクト性と、非接触型ＩＣカードによる利便性とを確保でき、有用である。
【０００３】
また、非接触型ＩＣ読み取り部は、一般的に、ループアンテナからなり、磁力線を発生させるアンテナと、アンテナを実装するアンテナ基板と、を備える。そして、アンテナが発生させる磁力線により形成される磁界を、アンテナ基板の一方の面側のみに形成させたい場合がある。例えば、アンテナ基板の他方の面側に、金属を主体とする比較的大きな部材を配置する設計を採用するときや、アンテナ基板の他方の面側に磁界の影響を受けやすい部位を配置する設計を採用するとき等である。その場合、例えば、アンテナ基板の他方の面側に全面的に、磁気シールド部材としての磁性シートを配置する。これにより、アンテナ基板の一方の面側のみに磁界を形成することができる。アンテナ基板の一方の面側に磁界の形状に影響を与える構成部位が存在しない場合、磁界は歪まない。
【先行技術文献】
【特許文献】
【０００４】
【特許文献１】特開２０１４−０５７２４３号公報
【発明の概要】
【発明が解決しようとする課題】
【０００５】
ところで、近年ますます、コンパクト化、表示部の大型化などが要求されている。そのため、表示部に近接して非接触型ＩＣ読み取り部を配置する設計を採用する場合がある。その場合、図１５に示すように、表示機能を達成するための表示部構造体１３１に近接して、アンテナ基板１５２を配置し、アンテナ基板１５２の他方の面側に全面的に磁気シールド部材としての磁性シート１５３を配置し、これにより、アンテナ１５１が発生させる磁力線より、アンテナ基板１５２の一方の面側のみに磁界ＭＦを形成する。そのとき、磁力線は、表示部構造体１３１のうちの金属部分の影響で表示部構造体１３１の側に引っ張られ、その結果、磁界ＭＦは歪む。そのため、磁界ＭＦの磁束の最大地点がズレてしまい、非接触型ＩＣカードによる所望の読み取り性能を達成することが難しくなる。この問題点は、携帯電子機器以外の電子機器においても、また、表示部構造体以外の隣接構造体においても、同様に生じ得る。従って、非接触型ＩＣ読み取り部のアンテナによる磁界の形状が隣接構造体の影響により歪むことを是正することができる電子機器が望まれている。
【０００６】
本発明は、筐体と、筐体と一体的に構成され、非接触型ＩＣカードの読み取り処理を行う非接触型ＩＣ読み取り部と、非接触型ＩＣ読み取り部に隣接し且つ金属部分を含む隣接構造体と、を備える電子機器において、非接触型ＩＣ読み取り部のアンテナによる磁界の形状が隣接構造体の影響により歪むことを是正することができる電子機器を提供することを目的とする。
【課題を解決するための手段】
【０００７】
本発明は、筐体と、前記筐体と一体的に構成され、非接触型ＩＣカードの読み取り処理を行う非接触型ＩＣ読み取り部と、前記非接触型ＩＣ読み取り部に隣接し且つ金属部分を含む隣接構造体と、を備える電子機器であって、前記非接触型ＩＣ読み取り部は、磁力線を発生させるアンテナと、このアンテナを実装するアンテナ基板と、このアンテナ基板における磁力線を遮蔽する側に配置される磁気シールド部材と、を有し、前記隣接構造体と前記アンテナ基板とは、所定の隣接方向に沿って隣接しており、前記隣接方向において、前記磁気シールド部材は、前記アンテナに対して前記隣接構造体の側に偏在して配置される、電子機器である。
【０００８】
また、前記筐体と一体的に構成される表示部を更に備え、前記隣接構造体は、前記表示部の表示機能を達成するための表示部構造体であってもよい。
【０００９】
また、前記アンテナは、ループアンテナからなり、前記隣接方向において、前記磁気シールド部材における前記隣接構造体の側の外端縁の位置は、ループアンテナからなる前記アンテナの断面における前記隣接構造体の側の外端縁の位置よりも、前記隣接構造体の側に位置しており、また、前記磁気シールド部材における前記隣接構造体とは反対側の外端縁の位置は、ループアンテナからなる前記アンテナの断面における前記隣接構造体とは反対側の外端縁の位置よりも、前記隣接構造体の側に位置していてもよい。
【００１０】
また、前記隣接方向において、前記磁気シールド部材における前記隣接構造体とは反対側の外端縁の位置は、ループアンテナからなる前記アンテナの断面における前記隣接構造体とは反対側の内端縁の位置よりも、前記隣接構造体の側に位置していてもよい。
【００１１】
また、前記筐体と一体的に構成され、接触型ＩＣカードの読み取り処理を行う接触型ＩＣ読み取り部を、更に備え、前記接触型ＩＣ読み取り部と前記非接触型ＩＣ読み取り部とは、前記筐体の前面視において少なくとも部分的に重なり合ってもよい。
【発明の効果】
【００１２】
本発明によれば、筐体と、筐体と一体的に構成され、非接触型ＩＣカードの読み取り処理を行う非接触型ＩＣ読み取り部と、非接触型ＩＣ読み取り部に隣接し且つ金属部分を含む隣接構造体と、を備える電子機器において、非接触型ＩＣ読み取り部のアンテナによる磁界の形状が隣接構造体の影響により歪むことを是正することができる電子機器を提供することができる。
【図面の簡単な説明】
【００１３】
【図１】本発明の電子機器の一実施形態としての携帯電子機器を示す斜視図である。
【図２】図１の携帯電子機器の正面図である。
【図３】図２の携帯電子機器の平面図である。
【図４】図２の携帯電子機器の右側面図である。
【図５】図２の携帯電子機器の要部を断面にして示す図である。
【図６】図２の携帯電子機器の別の要部を断面にして示す図である。
【図７】接触型ＩＣカードの決済機能を実行する様子を示す図である。
【図８】非接触型ＩＣカードの決済機能を実行する様子を示す図である。
【図９】磁気カードの決済機能を実行する様子を示す図である。
【図１０】携帯電子機器の表示部構造体と非接触型ＩＣ読み取り部との位置関係を示す図で、（Ａ）は表面側からの図、（Ｂ）は裏面側からの図である。
【図１１】図１０のＡ−Ａ線断面図である。
【図１２】実施形態の携帯電子機器の効果を示す図で、図１１に対応する図である。
【図１３】実施形態の第１変形例を示す図で、図１１に対応する図である。
【図１４】実施形態の第２変形例を示す図で、図１１に対応する図である。
【図１５】従来技術を示す図で、図１２に対応する図である。
【発明を実施するための形態】
【００１４】
〔実施形態〕
以下、本発明の実施形態について、図面を参照しながら説明する。図１は、本発明の電子機器の一実施形態としての携帯電子機器を示す斜視図である。図２は、図１の携帯電子機器１の正面図である。図３は、図２の携帯電子機器１の平面図である。図４は、図２の携帯電子機器１の右側面図である。図５は、図２の携帯電子機器１の要部を断面にして示す図である。図６は、図２の携帯電子機器１の別の要部を断面にして示す図である。図７は、接触型ＩＣカードの決済機能を実行する様子を示す図である。図８は、非接触型ＩＣカードの決済機能を実行する様子を示す図である。図９は、磁気カードの決済機能を実行する様子を示す図である。図１０は、携帯電子機器の表示部構造体と非接触型ＩＣ読み取り部との位置関係を示す図で、（Ａ）は表面側からの図、（Ｂ）は裏面側からの図である。図１１は、図１０のＡ−Ａ線断面図である。図１２は、実施形態の携帯電子機器の効果を示す図で、図１１に対応する図である。
【００１５】
図１〜図４に示すように、この携帯電子機器１は、筐体２と、タッチパネル・表示部３と、接触型ＩＣ読み取り部４と、非接触型ＩＣ読み取り部５と、磁気読み取り部６とを備える。携帯電子機器１は、タブレット型端末として一般的な機能、例えば、通話機能、データ通信機能、インターネット接続機能、位置情報（ＧＰＳ）機能、等を備えてもよい。
【００１６】
筐体２は、携帯電子機器１の外側形状を画定するものであり、扁平な板状の略直方体形状を有する。筐体２は、前面視において略長方形を呈する横長の前面２１及び背面２２と、上方の横向き側面（上横側面）２３と、下方の横向き側面（下横側面）２４と、左方の縦向き側面（左縦側面）２５と、右方の縦向き側面（右縦側面）２６とを備える。なお、本明細書において「略長方形」とは、全体として長方形とみなせる形状を全て含み、例えば、完全な長方形、角隅部が丸みを帯びた長方形、辺の部分が少し湾曲した形状なども含む。
【００１７】
筐体２の前面２１は、略矩形の透明な表示領域２１１と、表示領域２１１の周囲を取り囲む不透明な枠状領域２１２とを備える。筐体２の前面２１は、ガラスやプラスチックのような材料で構成される。筐体２の背面２２は、例えばアルミニウム合金やマグネシウム合金のような金属材料で構成される。筐体２の横側面２３、２４、及び縦側面２５、２６は、例えばアルミニウム合金やマグネシウム合金のような金属材料で構成されるか、又は高剛性樹脂で構成される。高剛性樹脂とは、例えば、ガラス繊維、カーボン繊維、その他の強化繊維及びタルクのような添加剤を樹脂中に混入した繊維強化樹脂である。
【００１８】
タッチパネル・表示部３は、筐体２と一体的に構成され、筐体２の前面２１の表示領域２１１に設けられる。タッチパネル・表示部３は、タッチパネルと表示部とを備える。タッチパネルは、接触式の入力機能を有する圧電式又は静電式のものである。表示部は、表示画面を有し、タッチパネルの裏面側に配置されている。タッチパネル・表示部３は、タッチパネル及び表示機能を達成するための表示部構造体３１を有する。表示部構造体３１は、隣接構造体の一例であり、その構成は制限されない。
【００１９】
図５に示すように、接触型ＩＣ読み取り部４は、接触型ＩＣセンサ４１と、接触型ＩＣカード用挿入溝４２とを備える。図７に示すように、接触型ＩＣセンサ４１は、接触型ＩＣカードＣ１のＩＣチップに接触して、ＩＣチップから電子情報を取得する。接触型ＩＣカード用挿入溝４２は、接触型ＩＣカードＣ１のＩＣチップを接触型ＩＣセンサ４１の位置に誘導するために筐体２内に設けられる。
【００２０】
接触型ＩＣカード用挿入溝４２は、筐体２の右縦側面２６に開口した凹溝である。接触型ＩＣセンサ４１の配置並びに接触型ＩＣカード用挿入溝４２の配置及び深さは、接触型ＩＣカードＣ１を停止する位置まで接触型ＩＣカード用挿入溝４２に挿入したとき、接触型ＩＣカードＣ１のＩＣチップが接触型ＩＣセンサ４１の所定の接触位置に静止するように設定されている。
【００２１】
図２、図４に示すように、接触型ＩＣカード用挿入溝４２は、筐体２の右縦側面２６の上下方向の中央部分よりもやや下方に配置される。また、筐体２の右縦側面２６の左右方向（筐体２の厚み方向）に関しては、接触型ＩＣカード用挿入溝４２は、筐体２の背面２２に近い側に配置される。
【００２２】
すなわち、接触型ＩＣ読み取り部４は、筐体２の右縦側面２６に隣接して、上下方向の中央部分よりもやや下方において、筐体２の厚み方向に関して背面２２に近い側に配置される。
【００２３】
図６に示すように、非接触型ＩＣ読み取り部５は、非接触型ＩＣセンサとして機能するアンテナ５１と、アンテナ５１を実装するアンテナ基板５２と、磁性シート（フェライトシート）からなる磁気シールド部材５３と、を有する。アンテナ５１は、ループアンテナからなり、通電されることにより磁力線を発生させる。発生した磁力線は、磁界ＭＦ（図１２参照）を形成する。アンテナ基板５２の表面５２１の側に、アンテナ５１は設けられている。
【００２４】
磁気シールド部材５３は、アンテナ基板５２における磁力線を遮蔽する側に配置される。アンテナ基板５２における裏面５２２の側には、磁気シールド部材５３が配置されており、そのため、アンテナ５１で発生した磁力線は、磁気シールド部材５３に吸収される。その結果、磁界ＭＦは、アンテナ基板５２における裏面５２２の側にはほとんど形成されず、アンテナ基板５２における表面５２１の側を中心に形成されることになる。
【００２５】
非接触型ＩＣカードＣ２は、ＩＣチップとアンテナとを備える。図８に示すように、非接触型ＩＣ読み取り部５のアンテナ５１と非接触型ＩＣカードＣ２のアンテナとが接近して両者間でデータを送受信することにより、非接触型ＩＣ読み取り部５は、非接触型ＩＣカードＣ２のＩＣチップから電子情報を取得する。非接触型ＩＣカードＣ２の例としては、ＲＦＩＤ（Ｒａｄｉｏ  Ｆｒｅｑｕｅｎｃｙ  Ｉｄｅｎｔｉｆｉｅｒ）の一種としてのＮＦＣ（Ｎｅａｒ  Ｆｉｅｌｄ  Ｃｏｍｍｕｎｉｃａｔｉｏｎ）規格のカードが挙げられる。
【００２６】
図２、図４に示すように、非接触型ＩＣ読み取り部５は、筐体２の右縦側面２６に隣接して、上下方向の中央部分よりもやや下方において、筐体２の厚み方向に関して前面２１に近い側に配置される。そのため、非接触型ＩＣカードＣ２を筐体２の前面２１において非接触型ＩＣ読み取り部５に近接させることにより、非接触型ＩＣカードＣ２のＩＣチップの電子情報は、アンテナ５１により取得される。
【００２７】
すなわち、筐体２の厚み方向に関して前面２１に近い側に配置される非接触型ＩＣ読み取り部５と、筐体２の厚み方向に関して背面２２に近い側に配置される接触型ＩＣ読み取り部４とは、筐体２の前面視において大部分（例えば７０％以上）が重なり合うように配置される。
【００２８】
図６に示すように、磁気読み取り部６は、磁気センサ６１と、磁気カード用挿入溝６２とを備える。磁気センサ６１は、磁気ヘッドとも呼ばれるもので、図９に示すように、磁気カードＣ３の磁気記録部Ｃ３１から磁気情報を取得する。磁気カード用挿入溝６２は、磁気カードＣ３の磁気記録部Ｃ３１を磁気センサ６１が走査するために筐体２に設けられる。
【００２９】
図２に示すように、磁気読み取り部６は、接触型ＩＣ読み取り部４及び非接触型ＩＣ読み取り部５と同様に、筐体２の右縦側面２６に隣接して配置される。ただし、接触型ＩＣ読み取り部４及び非接触型ＩＣ読み取り部５が筐体２の前面視において重なり合って配置されている領域には配置する余裕スペースが無いので、その領域よりも上にある上方領域と下にある下方領域とを比較して、高さがより大きい上方領域に、磁気読み取り部６は、配置される。
【００３０】
磁気カード用挿入溝６２は、筐体２の右縦側面２６と上横側面２３とが交わる角隅部２７において、上横側面２３上の所定の第２の位置Ｐ２から、接触型ＩＣ読み取り部４及び非接触型ＩＣ読み取り部５に近接する右縦側面２６上の所定の第１の位置Ｐ１まで直線状に延びる底面６２１を有する。すなわち、磁気カード用挿入溝６２は、底面６２１を斜辺とする略三角形状の凹溝であり、残りの２辺は上横側面２３及び右縦側面２６に開口している。
【００３１】
図３、図４に示すように、筐体２の厚み方向に関しては、磁気カード用挿入溝６２は、筐体２の前面２１に近い側に配置される。そのため、磁気カード用挿入溝６２の底面６２１の右縦側面２６上の第１の位置Ｐ１は、接触型ＩＣ読み取り部４に近接する位置ではなく、非接触型ＩＣ読み取り部５に近接する位置である。
【００３２】
次に、上記のように構成された携帯電子機器１の作用について、順に説明する。
図７に示すように、接触型ＩＣカードＣ１を手に持って接触型ＩＣ読み取り部４の接触型ＩＣカード用挿入溝４２に停止位置まで挿入すると、接触型ＩＣカードＣ１のＩＣチップが接触型ＩＣセンサ４１の所定の接触位置に静止する。そのため、接触型ＩＣセンサ４１は、接触型ＩＣカードＣ１のＩＣチップから電子情報を取得する。これにより、携帯電子機器１は、接触型ＩＣカードＣ１の決済機能を実行する。
【００３３】
図８に示すように、非接触型ＩＣカードＣ２を手に持って筐体２の前面２１において非接触型ＩＣ読み取り部５のアンテナ５１に接近させると、非接触型ＩＣ読み取り部５は、非接触型ＩＣカードＣ２のＩＣチップから電子情報を取得する。これにより、携帯電子機器１は、非接触型ＩＣカードＣ２の決済機能を実行する。
【００３４】
図９に示すように、磁気カードＣ３を手に持って磁気読み取り部６の磁気カード用挿入溝６２に上横側面２３側から挿入して、底面６２１に沿って右縦側面２６側まで通過させると、磁気センサ６１は、磁気カードＣ３の磁気記録部Ｃ３１から磁気情報を取得する。これにより、携帯電子機器１は、磁気カードＣ３の決済機能を実行する。
【００３５】
〔表示部構造体３１と非接触型ＩＣ読み取り部５との位置関係〕
表示部構造体３１と非接触型ＩＣ読み取り部５との位置関係について詳述する。図１０、図１１に示すように、表示部構造体３１とアンテナ基板５２とは、所定の隣接方向Ｄ５に沿って隣接している。本実施形態においては、隣接方向Ｄ５は、筐体２の左右方向（左縦側面２５と右縦側面２６とを結ぶ方向）である。
【００３６】
隣接方向Ｄ５において、磁気シールド部材５３における表示部構造体３１の側（左側）の外端縁５３７の位置Ｐ５７は、ループアンテナからなるアンテナ５１の断面における表示部構造体３１の側（左側）の外端縁の位置Ｐ５１よりも、表示部構造体３１の側（左側）に位置している。本実施形態においては、隣接方向Ｄ５において、アンテナ基板５２における表示部構造体３１の側（左側）の外端縁５２５の位置Ｐ５５と、磁気シールド部材５３における表示部構造体３１の側（左側）の外端縁５３７の位置Ｐ５７とは、一致している。
なお、符号Ｐ５２は、ループアンテナからなるアンテナ５１の断面における表示部構造体３１の側の内端縁の位置を示す。
【００３７】
一方、隣接方向Ｄ５において、磁気シールド部材５３は、アンテナ５１に対して表示部構造体３１の側（左側）に偏在して配置される。詳細には、隣接方向Ｄ５において、磁気シールド部材５３における表示部構造体３１とは反対側（右側）の外端縁５３８の位置Ｐ５８は、ループアンテナからなるアンテナ５１の断面における表示部構造体３１とは反対側（右側）の外端縁の位置Ｐ５４よりも、表示部構造体３１の側（左側）に位置している。
【００３８】
本実施形態においては、隣接方向Ｄ５において、磁気シールド部材５３における表示部構造体３１とは反対側（右側）の外端縁５３８の位置Ｐ５８は、ループアンテナからなるアンテナ５１の断面における表示部構造体３１とは反対側の内端縁の位置Ｐ５３よりも、表示部構造体３１の側（左側）に位置している。
【００３９】
磁気シールド部材５３が偏在しているため、アンテナ基板５２の裏面５２２における表示部構造体３１とは反対側（右側）の領域は、露出している。
【００４０】
〔実施形態の効果〕
実施形態の携帯電子機器１によれば、例えば以下の効果が奏される。
前述の通り、従来技術では、図１５に示すように、表示機能を達成するための表示部構造体１３１に近接して、アンテナ基板１５２を配置し、アンテナ基板１５２の他方の面側に全面的に磁気シールド部材としての磁性シート１５３を配置し、これにより、アンテナ１５１が発生させる磁力線より、アンテナ基板１５２の一方の面側のみに磁界ＭＦを形成する。そのとき、磁力線は、表示部構造体１３１のうちの金属部分の影響で表示部構造体１３１の側に引っ張られ、その結果、磁界ＭＦは歪む。そのため、磁界ＭＦの磁束の最大地点がズレてしまい、非接触型ＩＣカードによる所望の読み取り性能を達成することが難しくなる。
【００４１】
これに対して、実施形態においては、非接触型ＩＣ読み取り部５は、磁力線を発生させるアンテナ５１と、アンテナ５１を実装するアンテナ基板５２と、アンテナ基板５２における磁力線を遮蔽する側に配置される磁気シールド部材５３と、を有する。表示部構造体３１とアンテナ基板５２とは隣接方向Ｄ５に沿って隣接しており、隣接方向Ｄ５において、磁気シールド部材５３は、アンテナ５１に対して表示部構造体３１の側に偏在して配置される。
【００４２】
そのため、図１２に示すように、磁力線は、表示部構造体３１とは反対側（右側）に引っ張られる。その結果、表示部構造体３１による磁界ＭＦへの影響と、磁気シールド部材５３の偏在による磁界ＭＦへの影響とが相殺されて、磁界ＭＦの全体を対称的な形状とすることが容易となる。つまり、非接触型ＩＣ読み取り部５のアンテナ５１による磁界ＭＦの形状が表示部構造体３１の影響により歪むことを是正することができる。従って、磁界ＭＦの磁束の最大地点を設計上の地点と一致させやすく、非接触型ＩＣカードＣ２による所望の読み取り性能を達成することが容易となる。
【００４３】
実施形態の携帯電子機器１は、筐体２と一体的に構成され、接触型ＩＣカードＣ１の読み取り処理を行う接触型ＩＣ読み取り部４を、更に備える。接触型ＩＣ読み取り部４と非接触型ＩＣ読み取り部５とは、筐体２の前面視において少なくとも部分的に重なり合う。このような構成の場合、接触型ＩＣ読み取り部４及び非接触型ＩＣ読み取り部５の前面視の配置領域を大幅にコンパクトに纏めることができて、携帯電子機器１をよりコンパクトに構成することができる。
【００４４】
一方、アンテナ基板５２における裏面５２２の側、すなわち、接触型ＩＣ読み取り部４の側に、磁界ＭＦを形成させず、磁界ＭＦの影響を接触型ＩＣ読み取り部４に与えにくいように、磁気シールド部材５３を配置している。このように磁気シールド部材５３が配置されていても、前述の通り、非接触型ＩＣ読み取り部５のアンテナ５１による磁界ＭＦの形状が表示部構造体３１の影響により歪むことを是正することができ、磁界ＭＦの全体を対称的な形状とすることが容易となる。
【００４５】
以上、本発明の好適な実施形態について説明したが、本発明は、前述した実施形態に限定されることなく、種々の形態で実施することができる。
【００４６】
〔第１変形例〕
図１３は、実施形態の第１変形例を示す図で、図１１に対応する図である。図１３に示す第１変形例においては、隣接方向Ｄ５において、磁気シールド部材５３における表示部構造体３１とは反対側（右側）の外端縁５３８の位置Ｐ５８は、ループアンテナからなるアンテナ５１の断面における表示部構造体３１とは反対側（右側）の外端縁の位置Ｐ５４と内端縁の位置Ｐ５３との間に、位置している。
【００４７】
〔第２変形例〕
図１４は、実施形態の第２変形例を示す図で、図１１に対応する図である。図１４に示す第２変形例においては、磁気シールド部材５３における表示部構造体３１とは反対側（右側）の外端縁５３８の位置Ｐ５８は、アンテナ基板５２における表示部構造体３１とは反対側（右側）の外端縁５２６の位置Ｐ５６とループアンテナからなるアンテナ５１の断面における表示部構造体３１とは反対側（右側）の外端縁の位置Ｐ５４との間に、位置している。
【００４８】
〔その他の変形例〕
実施形態では、接触型ＩＣ読み取り部４と非接触型ＩＣ読み取り部５とを、筐体２の前面視において重なり合うように配置したが、これに制限されない。例えば、接触型ＩＣ読み取り部４と非接触型ＩＣ読み取り部５とを、筐体２の前面視において重ならないように配置してもよい。磁気読み取り部６と非接触型ＩＣ読み取り部５とを、筐体２の前面視において重なり合うように配置してもよい。
【００４９】
接触型ＩＣ読み取り部４と非接触型ＩＣ読み取り部５は、筐体２の左側、又は筐体２の長手方向に沿う側面の側に配置されていてもよい。磁気読み取り部６の磁気カード用挿入溝６２は、その底面６２１が筐体２の短手方向又は長手方向に沿う側面に沿って延びるように、配置されていてもよい。
接触型ＩＣ読み取り部４及び／又は磁気読み取り部６は、設けられていなくてもよい。
磁気シールド部材５３は、磁性シート（フェライトシート）に制限されず、非シート状の部材から構成することができ、また、成膜により形成することもできる。カード及び読み取り部は、決済に係らないものであってもよい。
【００５０】
本発明の電子機器は、表示部を備えていなくてもよい。
隣接構造体は、表示部の表示機能を達成するための表示部構造体３１に制限されない。隣接構造体は、例えば、金属部分を含む構造体であれば、接触型ＩＣ読み取り部の接触型ＩＣカード用挿入溝（スロット）を形成する構造体や、磁気読み取り部の磁気センサ（磁気ヘッド）であってもよい。
【００５１】
実施形態の筐体２は、前面視において略長方形で板状であるが、この形状に制限されず、その他の前面視形状や厚み方向形状であってもよい。
実施形態は携帯電子機器であるが、本発明はこれに制限されない。例えば、電源コードを備えてそのコードの延びる範囲でどこにでも置けるように構成された小型の載置式の電子機器などに本発明を適用してもよい。つまり、本発明は、携帯型ではない電子機器であってもよい。
【符号の説明】
【００５２】
１  携帯電子機器（電子機器）
２  筐体
３  タッチパネル・表示部（表示部）
４  接触型ＩＣ読み取り部
５  非接触型ＩＣ読み取り部
６  磁気読み取り部
３１  表示部構造体（隣接構造体）
５１  アンテナ
５２  アンテナ基板
５３  磁気シールド部材
５３７  外端縁
５３８  外端縁
６１  磁気センサ
６２  磁気カード用挿入溝
Ｃ１  接触型ＩＣカード
Ｃ２  非接触型ＩＣカード
Ｃ３  磁気カード
Ｄ５  隣接方向
Ｐ５１  位置
Ｐ５３  位置
Ｐ５４  位置
Ｐ５７  位置
Ｐ５８  位置
【図１】
2017228090.tif 000003
【図２】
2017228090.tif 000004
【図３】
2017228090.tif 000005
【図４】
2017228090.tif 000006
【図５】
2017228090.tif 000007
【図６】
2017228090.tif 000008
【図７】
2017228090.tif 000009
【図８】
2017228090.tif 000010
【図９】
2017228090.tif 000011
【図１０】
2017228090.tif 000012
【図１１】
2017228090.tif 000013
【図１２】
2017228090.tif 000014
【図１３】
2017228090.tif 000015
【図１４】
2017228090.tif 000016
【図１５】
2017228090.tif 000017